(57)【要約】【課題】複数系統の空調のうち一部の系統を周期的に切り替えて停止させる輪番制御の設定を簡易に行うことができる空調管理装置、空調管理設定方法及びプログラムを提供することである。【解決手段】実施形態の空調管理装置は、入力部と、記憶部と、表示制御部と、運転指示部とを持つ。入力部は、ユーザ操作を入力する。記憶部は、建物内の各ゾーンの空調を行う複数の系統の情報を記憶する。表示制御部は、前記入力部により指定された前記ゾーンの空調を行う複数の前記系統それぞれを各制御周期において稼働させるか停止させるかの制御パターンを、前記制御周期の識別情報に対応付けて表示される、前記系統それぞれが割り当てられたシンボルに対して前記入力部により所定の操作を行って設定する設定画面を表示する。運転指示部は、前記設定画面において設定された前記制御周期ごとの前記制御パターンに従って複数の前記系統の稼働及び停止を指示する。【選択図】図２
2019163872.tif 000002
【特許請求の範囲】
【請求項１】
空調管理装置は、
ユーザ操作を入力する入力部と、
建物内の各ゾーンの空調を行う複数の系統の情報を記憶する記憶部と、
前記入力部により指定された前記ゾーンの空調を行う複数の前記系統それぞれを各制御周期において稼働させるか停止させるかの制御パターンを、前記制御周期の識別情報に対応付けて表示される、前記系統それぞれが割り当てられたシンボルに対して前記入力部により所定の操作を行って設定する設定画面を表示する表示制御部と、
前記設定画面において設定された前記制御周期ごとの前記制御パターンに従って複数の前記系統の稼働及び停止を指示する運転指示部と、
を備える空調管理装置。
【請求項２】
前記設定画面は、前記シンボルそれぞれに対応した前記系統の名称又は前記ゾーンにおけるレイアウトの表示、あるいは、前記レイアウトを表示させるボタンを含む、
請求項１に記載の空調管理装置。
【請求項３】
前記表示制御部は、前記設定画面における前記制御周期の識別情報の表示領域に対して前記入力部により行われた操作に基づいて、前記制御周期に対する制御パターンの設定を有効とするか否かを切り替える、
請求項１又は請求項２に記載の空調管理装置。
【請求項４】
前記表示制御部は、優先度が高い前記系統に対して停止を設定できないように前記設定画面を表示する、
請求項１から請求項３のいずれか一項に記載の空調管理装置。
【請求項５】
前記表示制御部は、前記設定画面により設定された複数の前記制御パターンにおいて、優先度が高い前記系統の稼働率が閾値以下である場合に警告を出力する、
請求項１から請求項３のいずれか一項に記載の空調管理装置。
【請求項６】
前記表示制御部は、前記記憶部から各制御周期の制御パターンを読み出し、前記設定画面に初期表示する、
請求項１から請求項５のいずれか一項に記載の空調管理装置。
【請求項７】
前記設定画面に初期表示される各制御周期の前記制御パターンは、過去に前記系統を運転した時の空調効率に基づいて生成される、
請求項６に記載の空調管理装置。
【請求項８】
前記系統それぞれは、室外機及び室外機を有する空調系統又は外調機及び給気口を有する外調機系統のいずれかである、
請求項１から請求項７のいずれか一項に記載の空調管理装置。
【請求項９】
建物内の各ゾーンの空調を行う複数の系統の情報を記憶する記憶部から、入力部により指定された前記ゾーンの空調を行う複数の前記系統を読み出す読み出しステップと、
前記読み出しステップにおいて読み出された複数の前記系統それぞれを各制御周期において稼働させるか停止させるかの制御パターンを、前記制御周期の識別情報に対応付けて表示される、前記系統それぞれが割り当てられたシンボルに対して前記入力部により所定の操作を行って設定する設定画面を表示する表示制御ステップと、
前記設定画面において設定された前記制御周期ごとの前記制御パターンに従って複数の前記系統の稼働及び停止を指示する運転指示ステップと、
を有する空調管理設定方法。
【請求項１０】
コンピュータに、
建物内の各ゾーンの空調を行う複数の系統の情報を記憶する記憶部から、入力部により指定された前記ゾーンの空調を行う複数の前記系統を読み出す読み出しステップと、
前記読み出しステップにおいて読み出された複数の前記系統それぞれを各制御周期において稼働させるか停止させるかの制御パターンを、前記制御周期の識別情報に対応付けて表示される、前記系統それぞれが割り当てられたシンボルに対して前記入力部により所定の操作を行って設定する設定画面を表示する表示制御ステップと、
前記設定画面において設定された前記制御周期ごとの前記制御パターンに従って複数の前記系統の稼働及び停止を指示する運転指示ステップと、
を実行させるプログラム。
【発明の詳細な説明】
【技術分野】
【０００１】
本発明の実施形態は、空調管理装置、空調管理設定方法及びプログラムに関する。
【背景技術】
【０００２】
ビルや工場における空調機は、夏期の外気温度が高くなる時期でも熱負荷を十分に冷却できる出力容量で設置される。しかし、外気温度が高くならない時期では、空調機容量が余剰となるため、低負荷で稼働する。特に、ビルマルチ空調の場合、同一空間に複数の空調系統が設置される。これらそれぞれの系統が低負荷で稼働すると、全体のエネルギー効率が低下する。このようなエネルギー効率の低下を防ぐために、「輪番制御」という技術がある。輪番制御では、周期的かつ空調系統単位で輪番的に各ビルマルチ空調機を停止させる。これにより、稼働しているビルマルチ空調機の負荷率を上げ、空調全体のエネルギー効率を向上させる。しかし、この輪番制御にはさまざまな制御パターンが存在するため、制御パターンの設定手段が複雑になる場合があった。
【先行技術文献】
【特許文献】
【０００３】
【特許文献１】特開２０１７−７２３３３号公報
【発明の概要】
【発明が解決しようとする課題】
【０００４】
本発明が解決しようとする課題は、複数系統の空調のうち一部の系統を周期的に切り替えて停止させる輪番制御の設定を簡易に行うことができる空調管理装置、空調管理設定方法及びプログラムを提供することである。
【課題を解決するための手段】
【０００５】
実施形態の空調管理装置は、入力部と、記憶部と、表示制御部と、運転指示部とを持つ。入力部は、ユーザ操作を入力する。記憶部は、建物内の各ゾーンの空調を行う複数の系統の情報を記憶する。表示制御部は、前記入力部により指定された前記ゾーンの空調を行う複数の前記系統それぞれを各制御周期において稼働させるか停止させるかの制御パターンを、前記制御周期の識別情報に対応付けて表示される、前記系統それぞれが割り当てられたシンボルに対して前記入力部により所定の操作を行って設定する設定画面を表示する。運転指示部は、前記設定画面において設定された前記制御周期ごとの前記制御パターンに従って複数の前記系統の稼働及び停止を指示する。
【図面の簡単な説明】
【０００６】
【図１】第１の実施形態の空調システムの構成図。
【図２】同実施形態の空調管理装置の構成を示すブロック図。
【図３】同実施形態の輪番制御パターン設定画面の表示例を示す図。
【図４】同実施形態の輪番制御パターン設定画面の表示例を示す図。
【図５】同実施形態の空調管理装置の処理を示すフロー図。
【図６】第２の実施形態の空調システムの構成図。
【図７】同実施形態の輪番制御パターン設定画面の表示例を示す図。
【図８】同実施形態の輪番制御パターン設定画面の表示例を示す図。
【発明を実施するための形態】
【０００７】
以下、実施形態の空調管理装置、空調管理設定方法及びプログラムを、図面を参照して説明する。
【０００８】
（第１の実施形態）
図１は、空調システム１００の構成図である。空調システム１００は、空調管理装置１と、運転装置２と、空調機３と、センサ４とを備える。空調管理装置１は、空調効率が向上するように空調機３の運転を管理する。運転装置２は、空調管理装置１からの指示に従って、空調機３に運転制御値を出力する。空調管理装置１と運転装置２とはＬＡＮ（Local Area Network）などの通信ネットワークにより接続される別の装置でもよく、空調管理装置１と運転装置２とは統合された１台の装置でもよい。
【０００９】
空調機３は、運転装置２から受信した運転制御値に従って空調を行う。空調機３は、ビル用マルチエアコン３０を備える。ビル用マルチエアコン３０は、複数の空調系統を有する。各空調系統は、１台以上の室外機３１と１台以上の室内機３２とを有する。同図では、簡単のため各空調系統については室外機３１と室内機３２をそれぞれ１台ずつ示している。室内機３２は、室外機３１が生成した冷媒との熱交換により生成した冷風又は温風を空調対象のゾーンに給気する。
【００１０】
ビルなどの建物の各フロアは１以上のゾーンに区切られる。ゾーンは、消費電力量が取得できる範囲の空調対象の空間（エリア）である。１つのゾーンは、１以上の空調系統により空調が行われる。図１では、複数の空調系統により空調が行われる１つのゾーンについて示している。各ゾーンには１台以上のセンサ４が設置される。センサ４は、温度や湿度などを検出し、検出値を運転装置２に通知する。
【００１１】
空調管理装置１は、ゾーンごとの空調効率の計算に必要な情報を取得する。空調効率の計算に必要な情報は、例えば、外気温度、各空調系統の稼働／停止状態、冷暖房モード及び消費電力量、室内機３２又はセンサ４が計測した室内温度、給気温度、室内湿度、給気湿度等の情報を含む。空調管理装置１は、これらの情報を情報収集元の機器から直接又は運転装置２を介して取得する。空調効率には、例えば、冷暖房平均エネルギー消費効率を示すＣＯＰ（Coefficient Of Performance、成績係数）を用いることができる。ゾーン毎のＣＯＰは、ゾーン内の室内機３２の冷房能力又は暖房能力の合計を、消費電力により除算して算出される。
【００１２】
空調管理装置１は、収集した情報を用いて、空調効率が向上するように空調機３の運転を管理する。例えば、空調管理装置１は、複数の空調系統それぞれの停止又は稼働、運転モード、給気温度、送風量等を運転装置２に指示する。また、空調管理装置１は、輪番制御を行う。輪番制御とは、同一のゾーンに設けられた複数の空調系統のうち稼働又は停止させる一部の空調系統を、所定時間毎の制御周期で輪番的に順に切り替えることである。運転装置２は、空調管理装置１からの指示に従って室外機３１や室内機３２へ制御信号を送信する。制御信号の例として、室外機３１や室内機３２へ発停を指示する制御信号、室外機３１や室内機３２における冷媒の流量を指示する制御信号、室内機３２へ送風のためのファンの回転量を指示する制御信号等があるが、これらに限定されない。
【００１３】
図２は、空調管理装置１の構成を示す機能ブロック図であり、本実施形態と関係する機能ブロックのみを抽出して示してある。空調管理装置１は、入力部１１と、表示部１２と、記憶部１３と、通信部１４と、処理部１５とを備える。
【００１４】
入力部１１は、キーボード、ポインティングデバイス（マウス、タブレット等）、ボタン、タッチパネル等の既存の入力装置を用いて構成される。入力部１１は、ユーザの指示を空調管理装置１に入力する際にユーザによって操作される。入力部１１は、入力装置を空調管理装置１に接続するためのインタフェースであっても良い。この場合、入力部１１は、入力装置においてユーザの入力に応じて生成された入力信号を空調管理装置１に入力する。また、入力部１１は、空調管理装置１とネットワークを介して接続されるコンピュータ端末からユーザの指示を受信してもよい。
【００１５】
表示部１２は、ＣＲＴ（Cathode Ray Tube）ディスプレイ、液晶ディスプレイ、有機ＥＬ（Electro Luminescence）ディスプレイ等の画像表示装置である。表示部１２は、画像表示装置を空調管理装置１に接続するためのインタフェースであっても良い。この場合、表示部１２は、画面データを表示するための映像信号を生成し、自身に接続されている画像表示装置に映像信号を出力する。また、表示部１２は、空調管理装置１とネットワークを介して接続されるコンピュータ端末に画面データを表示するための信号を送信してもよい。
【００１６】
記憶部１３は、空調機系統データ、輪番制御パターンデータ及び稼働履歴データを含む各種データを記憶する。空調機系統データは、ゾーンの識別情報と、そのゾーンの空調を行う複数の空調系統それぞれの識別情報及び名称と、そのゾーンにおける複数の空調系統の設置位置を示すレイアウトとを対応付けた情報である。さらに、空調機系統データは、優先度が高い空調系統を特定する情報を含んでもよい。輪番制御パターンデータは、輪番制御の各制御周期においてゾーン内の各空調系統を稼働させるか停止させるかの設定を示す。稼働履歴データは、ゾーンごとに、時刻の情報と、その時刻における各空調系統の稼働又は停止の状態、ＣＯＰ、外気温、室温等の情報とを対応付けた情報である。通信部１４は、ネットワークを介して運転装置２を含む他の装置とデータを送受信する。
【００１７】
処理部１５は、表示制御部１５１と、運転指示部１５２と、稼働履歴生成部１５３とを備える。
表示制御部１５１は、輪番制御パターン設定画面の画面データを生成し、表示部１２に表示する。輪番制御パターン設定画面は、輪番制御の制御パターンを設定する画面である。輪番制御パターン設定画面には、制御周期の識別情報と、指定されたゾーンの空調を行う複数の空調系統それぞれを表すシンボルとが対応付けて表示され、シンボルの表示に対して入力部１１により所定の操作を行うことによって制御パターンを設定可能である。また、輪番制御パターン設定画面には、さらに、空調系統を表す各シンボルと空調系統名を対応付けた情報、又は、ゾーンにおける空調系統のレイアウトの表示が含まれる。
【００１８】
運転指示部１５２は、輪番制御パターン設定画面を用いて設定された制御周期ごとの制御パターンに従って、複数の空調系統それぞれを運転又は停止するよう運転装置２に指示する。
【００１９】
稼働履歴生成部１５３は、外気温度、ゾーンごとの各空調系統の稼働／停止状態、冷暖房モード及び消費電力量、室内機３２又はセンサ４が計測した室内温度、給気温度、室内湿度、給気湿度等の情報を運転装置２、空調機３、センサ４等の外部装置から取得する。稼働履歴生成部１５３は、受信した情報を用いてＣＯＰを算出し、取得した情報と算出したＣＯＰとを対応付けた稼働履歴データを生成し、記憶部１３に書き込む。
【００２０】
図３は、輪番制御パターン設定画面５００の表示例を示す図である。輪番制御パターン設定画面５００は、系統表示領域５１０と、輪番制御パターン設定領域５２０とを含む。系統表示領域５１０には、１ゾーンの空調が可能な最大系統数である１０系統分の空調系統それぞれを表すシンボル５１１と対応付けて空調系統の名称を表示可能である。同図では、系統を表すシンボル５１１として、丸で囲まれた数字を用いている。以下では、丸で囲まれた数字ｎ（ｎは１以上１０以下の整数）のシンボルをシンボルｎと記載する。
【００２１】
表示制御部１５１は、輪番制御パターンを設定する対象のゾーンの空調を行う空調系統の情報を空調機系統データから読み出し、シンボルｎと対応付けて系統表示領域５１０に表示する。同図においては、表示制御部１５１は、系統表示領域５１０に、シンボル１、シンボル２、シンボル３、シンボル４、シンボル５のそれぞれと対応付けて、ゾーン１の空調を行う５つの空調系統の名称「空調系統Ａ」、「空調系統Ｂ」、「空調系統Ｃ」、「空調系統Ｄ」、「空調系統Ｅ」を表示している。ゾーン１の空調系統数は５であるため、表示制御部１５１は、シンボル６〜シンボル１０には空調系統の名称を表示しない。この場合、表示制御部１５１は、系統表示領域５１０に、シンボル６〜シンボル１０を表示させないようにしてもよい。
【００２２】
輪番制御パターン設定領域５２０は、１０個の制御パターン設定領域５２１を含む。各制御パターン設定領域５２１は、制御パターン番号表示領域５２２と、系統選択領域５２３とを含む。
【００２３】
表示制御部１５１は、制御パターン番号表示領域５２２に、制御パターン番号を表示する。制御パターン番号は、制御パターンを特定する識別情報であり、制御パターンの実行順を決める番号でもある。制御パターン番号表示領域５２２をクリックすることにより、その制御パターン番号表示領域５２２と同じ制御パターン設定領域５２１に含まれる系統選択領域５２３の設定を有効にするか無効にするかが切り替わる。同図では、制御パターン番号１〜５の制御パターン番号表示領域５２２は有効を表す色、例えば白で表示される。一方、制御パターン番号６〜１０の制御パターン番号表示領域５２２は無効を表す色、例えば、灰色により表示される。
【００２４】
例えば、この表示状態で制御パターン番号１の制御パターン番号表示領域５２２をクリックすると、制御パターン番号１の設定が有効から無効に切り替わり、制御パターン番号表示領域５２２の背景色は白から灰色に切り替わる。さらにもう一度、制御パターン番号１の制御パターン番号表示領域５２２をクリックすると、制御パターン番号１の設定が無効から有効に切り替わり、制御パターン番号表示領域５２２の背景色は灰色から白に切り替わる。なお、制御パターン番号表示領域５２２の背景色に加えて、又は、代えて、制御パターン番号の文字色や太さなどの表示の態様を、有効の設定か無効の設定かに応じて変更してもよい。以下では、有効が設定されている制御パターン番号表示領域５２２と同じ制御パターン設定領域５２１に含まれる系統選択領域５２３を「有効な系統選択領域５２３」と記載し、無効が設定されている制御パターン番号表示領域５２２と同じ制御パターン設定領域５２１に含まれる系統選択領域５２３を「無効な系統選択領域５２３」と記載する。
【００２５】
系統選択領域５２３には、系統を表すシンボル１〜シンボル１０が表示されている。シンボルｎ（ｎは１以上Ｎ以下の整数）は、シンボルｎと対応付けて系統表示領域５１０に表示されている名称の空調系統を表す。有効な系統選択領域５２３において、制御パターンの設定操作が可能である。例えば、系統選択領域５２３におけるシンボルｎの表示をクリックすることにより、シンボルｎが表す空調系統の稼働と停止が切り替わる。
【００２６】
同図では、制御パターン番号１の系統選択領域５２３において、シンボル１、２に停止が設定され、シンボル３−５に稼働が設定されている。停止が設置されているシンボル１、２は例えば緑で、稼働が設定されているシンボル３−５は赤色で、空調系統が割り当てられていないシンボル６−１０は灰色で表示される。
【００２７】
例えば、この表示状態でシンボル１の表示をクリックすると、シンボル１の設定が停止から稼働に切り替わり、表示は緑から赤に切り替わる。さらに、もう一度シンボル１をクリックすると、シンボル１の設定が稼働から停止に切り替わり、表示は赤から緑に切り替わる。このように、系統を表すシンボルの表示をクリックするだけで、系統を稼働するか停止するかを簡易に設定可能である。なお、シンボルの表示色に加えて、又は、代えて、シンボルの表示部分の背景色、文字の太さ、シンボルの数字を囲む図形の形状（例えば、丸と四角など）、図形の線の太さや線の種類などの表示の態様を、稼働の設定か停止の設定かに応じて変更してもよい。
【００２８】
表示制御部１５１は、無効な系統選択領域５２３には全シンボルを灰色により表示し、制御パターンの設定操作を受け付けない。なお、無効な系統選択領域５２３にも制御パターンの設定操作を可能としてもよい。ただし、運転指示部１５２は、無効な系統選択領域５２３に設定された制御パターンを、輪番制御を構成する制御パターンに含めない。
【００２９】
設定ボタン５３０が選択されると、運転指示部１５２は、輪番制御実行時、有効な系統選択領域５２３に設定された制御パターンを、制御パターン番号が小さいものから順に制御周期ごとに切り替えて実行するよう運転装置２に指示する。運転指示部１５２は、最も大きな制御パターン番号の制御パターンの実行後、最も制御パターン番号が小さい制御パターンに戻る。例えば、運転指示部１５２は、３０分ごとに番号１→番号２→・・・→番号１０→番号１→…の順に制御パターンを切り替える。図３の場合、番号５までが設定されているため、運転指示部１５２は、番号１→番号２→・・・→番号５→番号１→…の順に制御パターンを切り替える。運転装置２は、運転指示部１５２から指示された制御パターンに従って各空調系統に稼働又は停止を指示する。なお、制御周期は任意に設定可能である。
【００３０】
なお、系統選択領域５２３において、空調系統が割り当てられていないシンボル６〜１０については、上記のように灰色などの所定の色により表示してクリックによる稼働や停止の設定ができないようにてもよく、表示しなくてもよい。
【００３１】
図４は、輪番制御パターン設定画面５０１の表示例を示す図である。表示制御部１５１は、図３の輪番制御パターン設定画面５００に代えて、同図に示す輪番制御パターン設定画面５０１を表示してもよい。図４に示す輪番制御パターン設定画面５０１と、図３に示す輪番制御パターン設定画面５００とが異なる点は、系統表示領域５１０に代えて系統レイアウト表示領域５４０を有する点である。系統レイアウト表示領域５４０は、輪番制御パターンを設定する対象のゾーンにおける空調系統のレイアウトを、系統を表すシンボル５１１と対応付けて表示する。
【００３２】
なお、図３に示す輪番制御パターン設定画面５００にレイアウト表示ボタンを設けてもよい。表示制御部１５１は、レイアウト表示ボタンがクリックされたことを検出した場合に、輪番制御パターン設定画面５０１の系統レイアウト表示領域５４０に表示されているような空調系統のレイアウトを示す画面を表示部１２に表示する。
【００３３】
図５は、空調管理装置１の処理を示すフロー図である。以下では、空調管理装置１が輪番制御パターン設定画面５００を表示する場合を例に説明するが、輪番制御パターン設定画面５０１を表示する場合も同様の処理を行う。
【００３４】
空調管理装置１の入力部１１は、輪番制御パターンの設定対象となるゾーン（以下、「対象ゾーン」と記載する）を特定する情報を入力する（ステップＳ１０）。表示制御部１５１は、対象ゾーンの空調を行う系統の情報を記憶部１３に記憶される空調機系統データから取得する（ステップＳ２０）。系統の情報は、空調系統の数と、空調系統の名称と、レイアウトとのうち少なくとも一方を示す。表示制御部１５１は、対象ゾーンの輪番制御パターンデータが記憶部１３に未登録の場合、読み出した各系統の情報に、それぞれシンボル５１１を対応付ける。対象ゾーンの空調系統の系統数がｎ（ｎは２以上１０以下の整数）である場合、表示制御部１５１は、各空調系統それぞれにシンボル１〜シンボルｎを割り当てる（ステップＳ３０）。
【００３５】
表示制御部１５１は、各系統の情報とシンボルとの対応付けに基づいて輪番制御パターン設定画面５００を生成し、表示部１２に表示する（ステップＳ４０）。なお、対象ゾーンの輪番制御パターンデータが記憶部１３に未登録の初期状態では、制御パターン番号１〜１０の全ての制御パターンの設定が無効、かつ、各制御パターンの全ての系統が停止であるとする。
【００３６】
表示制御部１５１は、入力部１１によりいずれかの制御パターン番号表示領域５２２がクリックされたか否かを判断する（ステップＳ５０）。表示制御部１５１は、制御パターン番号表示領域５２２がクリックされたと判断した場合（ステップＳ５０：ＹＥＳ）、その制御パターン番号表示領域５２２の設定を、現在無効であれば有効に、現在有効であれば無効に切り替える。表示制御部１５１は、有効に切り替えた場合、制御パターン番号表示領域５２２の表示を、有効を表す態様に切り替え、さらに、系統選択領域５２３の設定操作を可能にする。また、表示制御部１５１は、無効に切り替えた場合、制御パターン番号表示領域５２２の表示を、無効を表す態様に切り替え、さらに、系統選択領域５２３の設定操作を制限とする（ステップＳ６０）。
【００３７】
表示制御部１５１は、制御パターン番号表示領域５２２がクリックされていないと判断した場合（ステップＳ５０：ＮＯ）、又は、ステップＳ６０の処理の後、入力部１１により有効な系統選択領域５２３のいずれかのシンボルがクリックされたか否かを判定する（ステップＳ７０）。表示制御部１５１は、有効な系統選択領域５２３のシンボルがクリックされたと判断した場合（ステップＳ７０：ＹＥＳ）、そのシンボルの設定を現在稼働であれば停止に、現在停止であれば稼働に切り替える。表示制御部１５１は、稼働に切り替えた場合、クリックされたシンボルの表示を、稼働を表す態様に切り替え、停止に切り替えた場合は、停止を表す態様に切り替える(ステップＳ８０）。
【００３８】
表示制御部１５１は、系統選択領域５２３のシンボルがクリックされていないと判断した場合（ステップＳ７０：ＮＯ）、又は、ステップＳ８０の処理の後、入力部１１により設定ボタン５３０がクリックされた否かを判断する（ステップＳ９０）。表示制御部１５１は、設定ボタン５３０がクリックされていないと判断した場合（ステップＳ９０：ＮＯ）、ステップＳ５０からの処理を繰り返す。
【００３９】
表示制御部１５１は、設定ボタン５３０がクリックされたと判断した場合（ステップＳ９０：ＹＥＳ）、運転指示部１５２に設定完了を通知する。運転指示部１５２は、輪番制御パターン設定画面５００の輪番制御パターン設定領域５２０の設定内容に基づいて輪番制御パターンデータを生成する（ステップＳ１００）。すなわち、運転指示部１５２は、制御パターン番号表示領域５２２に有効が設定されている制御パターン設定領域５２１のそれぞれから、系統選択領域５２３内の各シンボルの稼働又は停止の設定を読み出す。運転指示部１５２は、特定した制御パターン設定領域５２１別に、制御パターン番号表示領域５２２が表示していた制御パターン番号と、各シンボルの識別情報と、シンボルに割り当てられた空調系統の識別情報及び名称と、シンボルに設定された稼働又は停止を示す情報とを対応付けた制御パターンデータを生成する。運転指示部１５２は、生成した制御パターンデータを制御パターン番号が小さい順に並べて、対象ゾーンの輪番制御パターンデータを生成し、対象ゾーンの識別情報と対応付けて記憶部１３に書き込む。なお、制御パターン番号が連続していない場合、制御パターン番号が小さい順に番号を振りなおす。
【００４０】
運転指示部１５２は、予め設定された対象ゾーンの輪番制御の開始時刻になると、又は、入力部１１により対象ゾーンの輪番制御の開始が入力されると、対象ゾーンの輪番制御パターンデータを記憶部１３から読み出す。運転指示部１５２は、読み出した輪番制御パターンデータに従って輪番制御を行い、空調系統の稼働及び停止を運転装置２に指示する（ステップＳ１１０）。
【００４１】
なお、表示制御部１５１は、対象ゾーンの輪番制御パターンデータがすでに記憶部１３に登録されている場合、ステップＳ３０の処理を行わず、輪番制御パターンデータから系統とシンボルの対応付けを読み出す。そして、表示制御部１５１は、ステップＳ４０において、対象ゾーンの輪番制御パターンデータの設定内容を輪番制御パターン設定領域５２０に表示する輪番制御パターン設定画面５００を生成し、表示部１２に表示する。
【００４２】
なお、表示制御部１５１は、ユーザが設定ボタン５３０を選択したときに、全シンボルに停止が設定されている場合、又は、全シンボルに稼働が設定されている場合に、エラーを表示部１２に表示してもよい。
【００４３】
なお、表示制御部１５１は、優先度が高い空調系統のシンボルについては稼働を設定して系統選択領域５２３に表示し、クリックによる切換えが行えないようにしてもよい。あるいは、表示制御部１５１は、ユーザが設定ボタン５３０を選択したときに、優先度が高い空調系統の稼働率を算出し、算出した稼働率が予め設定された閾値未満（閾値の上限は１００％）であると判断した場合、警告を出力してもよい。例えば、優先度が高い空調系統Ａについて、有効な制御パターン番号１〜５のうち、制御パターン番号２〜４に稼働が、制御パターン番号１、５に停止が設定されている場合、稼働率は６０％である。閾値が８０％であれば、表示制御部１５１は、稼働率が閾値に達していないため、空調系統Ａの稼働率が閾値８０％よりも低い旨を知らせるメッセージを表示部１２に表示する。ユーザが入力部１１により設定終了を入力した場合、運転指示部１５２は、制御パターン設定画面に設定された内容に従って輪番制御パターンデータを生成する。表示制御部１５１は、ユーザが入力部１１により設定のやり直しを入力した場合には、設定ボタン５３０がクリックされたときの制御パターン設定画面を表示する。
【００４４】
また、記憶部１３にゾーン毎のモデルとなるデフォルトの輪番制御パターンデータを記憶しておいてもよい。あるいは、モデルの輪番制御パターンデータは、他のゾーンの輪番制御パターンデータとしてもよい。表示制御部１５１は、対象ゾーンのモデルとなる輪番制御パターンデータを記憶部１３から読み出し、読み出した輪番制御パターンデータを表す初期表示の制御パターン設定画面を生成し、表示部１２に表示する。
【００４５】
また、表示制御部１５１は、過去に対象ゾーンの輪番制御を行ったなかでＣＯＰが所定よりも良いときの輪番制御パターンデータを上記のモデルパターンとしてもよい。具体的には、表示制御部１５１は、記憶部１３を参照し、過去に対象ゾーンの輪番制御を行ったときの稼働履歴データの中から外気温度が、これから行う輪番制御時の予測の外気温度と近く、かつ、ＣＯＰが所定条件よりも良いときの稼働履歴データを特定する。表示制御部１５１は、特定した稼働履歴データが得られたときの対象ゾーンの輪番制御パターンデータをモデルパターンとして記憶部１３から読み出す。
【００４６】
また、対象ゾーンの輪番制御を行っているとき、及び、行っていないときの両者の稼働履歴データを用いて、外気温度等を入力として、ＣＯＰが高い輪番制御パターンデータを生成するモデルパターン生成処理を機械学習してもよい。表示制御部１５１は、機械学習されたパターン生成処理により、これから行う輪番制御時の予測の外気温度などを入力として生成された輪番制御パターンデータを上記のモデルパターンとする。
【００４７】
（第２の実施形態）
第１の実施形態においては、空調機の系統の種別は全て空調系統である。本実施形態では、空調機が外調機をさらに備える。この場合、空調管理装置１は、第１の実施形態における空調の系統を、空調系統及び外調機系統の２種類とする。すなわち、第１の実施形態における空調系統の一部を外調機系統と置き換えて同様の処理を行う。以下では、第１の実施形態との差分を中心に説明する。
【００４８】
図６は、空調システム１００ａの構成図である。同図に示す空調システム１００ａが図１に示す第１の実施形態の空調システム１００と異なる点は、空調機３に代えて空調機３ａを備える点である。空調機３ａは、ビル用マルチエアコン３０に加えて、１以上の外調機系統を備える。ビル用マルチエアコン３０は、第１の実施形態と同様である。１つの外調機系統は、１以上の外調機３４と１以上の給気口３５を有する。外調機３４は、ビル内に敷設されたダクトを介して、ゾーンに設けられた給気口３５から外気をゾーン内に給気し、ゾーン内の空気を外に排気することによって、ビル内を換気する。さらに、外調機３４は、冷媒との熱交換により生成した冷風を、各ゾーンにより給気する機能を有してもよい。
【００４９】
各ゾーンは、ビル用マルチエアコン３０の１以上の空調系統と、１以上の外調機系統の外調機３４により空調が行われる。各ゾーンに設置されたセンサ４は、温度や湿度に加え、二酸化炭素濃度を検出し、検出値を運転装置２に通知する。空調管理装置１は、ゾーンごとに第１の実施形態と同様に空調効率を計算し、空調効率が向上するように空調機３ａの運転を管理する。例えば、空調管理装置１は、ビル用マルチエアコン３０に第１の実施形態と同様の制御を行い、さらに、各外調機系統の外調機３４の停止又は稼働、給気温度等を運転装置２に指示する。運転装置２は、空調管理装置１からの指示に従って第１の実施形態と同様の制御信号等をビル用マルチエアコン３０に出力する。さらに、運転装置２は、外調機３４へ制御信号を送信する。制御信号の例として、外調機３４へ発停を指示する制御信号、外調機３４における冷媒の流量を指示する制御信号、外調機３４へファンの回転量等を指示する制御信号等があるが、これらに限定されない。
【００５０】
図７は、本実施形態の表示制御部１５１が表示部１２に表示する輪番制御パターン設定画面５０２の画面イメージを示す図である。輪番制御パターン設定画面５０３の画面イメージは、図３に示す第１の実施形態の輪番制御パターン設定画面５０１と同様である。ただし、輪番制御パターン設定画面５０２の系統表示領域５１０ａには、シンボル５１１と対応付けられたビル用マルチエアコン３０の空調系統の名称に加えて、シンボル５１１と対応付けられた外調機系統の名称が表示される。同図では、外調機系統の名称として、その外調機系統に設置される外調機３４の名称を用いている。記憶部１３に記憶される空調機系統データは、ゾーンの識別情報と、そのゾーンの空調を行う空調系統及び外調機系統それぞれの識別情報及び名称と、そのゾーンにおける空調系統及び外調機系統それぞれの設置位置を示すレイアウトとを対応付けた情報である。表示制御部１５１は、輪番制御パターンを設定する対象のゾーンの空調を行う空調系統及び外調機系統の情報を空調機系統データから読み出し、シンボルｎと対応付けて系統表示領域５１０ａに表示する。このように系統の種類によらず、外調機系統には空調系統と同様にシンボル５１１が割り当てられるため、輪番制御パターン設定画面５０１と同様の操作により外調機系統の稼働及び停止を含めた制御パターンを設定することができる。
【００５１】
図８は、輪番制御パターン設定画面５０３の画面イメージを示す図である。本実施形態の表示制御部１５１は、図７の輪番制御パターン設定画面５０２に代えて、同図に示す輪番制御パターン設定画面５０３を表示してもよい。図７に示す輪番制御パターン設定画面５０２と、図８に示す輪番制御パターン設定画面５０３とが異なる点は、系統表示領域５１０ａに代えて、系統レイアウト表示領域５４０ａを有する点である。系統レイアウト表示領域５４０ａは、輪番制御パターンを設定する対象のゾーンにおける空調系統及び外調機系統のレイアウトを、系統を表すシンボル５１１と対応付けて表示する。なお、輪番制御パターン設定画面５０３に示すレイアウトでは室外機３１は表示していない。各レイアウトにおいては、ゾーン内において各空調系統及び各外調機系統が主にカバーする空間を点線で示している。各空調系統が主にカバーする空間と各外調機系統が主にカバーする空間とは重複してもよい。なお、同図に示す輪番制御パターン設定画面５０３では、空調系統のレイアウトと外調機系統のレイアウトとを別に示しているが、１つのレイアウトで示してもよい。
【００５２】
輪番制御パターン設定画面５０２又は５０３の設定ボタン５３０がクリックされた場合、運転指示部１５２は、輪番制御パターン設定領域５２０の設定内容に基づいて輪番制御パターンデータを生成する。すなわち、運転指示部１５２は、制御パターン番号表示領域５２２に有効が設定されている制御パターン設定領域５２１別に、制御パターン番号と、各シンボルの識別情報と、シンボルと対応付けられた空調系統又は外調機系統の識別情報及び名称と、シンボルに設定された稼働又は停止を示す情報とを対応付けた制御パターンデータを生成する。運転指示部１５２は、生成した制御パターンデータを制御パターン番号が小さい順に並べて輪番制御パターンデータを生成し、対象ゾーンの識別情報と対応付けて記憶部１３に書き込む。
【００５３】
運転指示部１５２は、対象ゾーンの輪番制御の開始時刻になると、又は、入力部１１により対象ゾーンの輪番制御の開始が入力されると、対象ゾーンの輪番制御パターンデータを記憶部１３から読み出す。運転指示部１５２は、読み出した輪番制御パターンデータに従って輪番制御を行い、空調機３ａの空調系統及び外調機系統の稼働及び停止を運転装置２に指示する。ただし、輪番制御パターンデータに従って外調機３４を停止させているときに、対象ゾーンのセンサ４から閾値を超える二酸化炭素濃度の検出値を受信した場合、停止していた外調機３４の稼働を運転装置２に指示する。
【００５４】
以上説明した実施形態によれば、輪番制御パターン設定画面により、制御周期ごとに、各空調系統の運転及び停止、又は、各空調系統及び各外調機系統の運転及び停止を設定可能である。また、輪番制御パターン設定画面では、例えば、１０周期分の制御周期を設定可能としておき、１０周期目の制御を終えたら、１周期目に戻るように輪番制御を行うことができる。また、制御周期番号をクリックすることによって、１０周期以内の任意の制御周期数の輪番制御も設定可能である。
【００５５】
また、実際の系統の名称に制御パターンの設定に用いるシンボルを紐付け、そのシンボルに対してクリックなどの所定のユーザ操作を行って各系統の稼働と停止を設定するため、特定のゾーンに依存せずに制御パターンを設定可能である。また、シンボルと実際の空調系統及び外調機系統の名称やレイアウトとの対応付けを表示することによって、系統を確認しながら稼働又は停止を設定可能である。例えば、縦の行に制御周期、横の列に空調系統の名称及び外調機系統の名称を表示して１つの表で運転／停止の設定をする画面では、名称が長くなると１画面に表示できなくなるが、本実施形態では、１画面に表示が可能である。なお、所定のユーザ操作は、クリックに限定されない。例えば、所定のユーザ操作は、ダブルクリックでもよく、表示部１２がタッチパネルであれば、シンボルの表示部分を所定回タップする操作であってもよい。
【００５６】
このように１０周期、１０系統分の制御パターンを可能な輪番制御パターン設定画面を用意しておくことで、ユーザは、同じ設定フォームによって複数ゾーンの設定を行うことが可能となる。また、例えば、系統数が５であれば、３系統ずつ稼働させる、２系統ずつ稼働させる、同時に稼働又は停止させる系統を隣接した又は隣接しない系統とする、同じ制御パターンを続けて行うなど、さまざまな輪番制御パターンをユーザが柔軟にかつ簡易に設定可能である。
【００５７】
以上説明した少なくともひとつの実施形態によれば、表示制御部を持つことにより、指定されたゾーンの空調を行う複数の系統それぞれを各制御周期において稼働させるか停止させるかの制御パターンを、輪番制御パターン設定画面に各制御周期の識別情報に対応付けて表示される、各系統それぞれが割り当てられたシンボルに対して入力部によりクリック等の所定の操作を行い、設定することができる。従って、ユーザは簡易な操作により、輪番制御の制御パターンを設定することが可能となる。
【００５８】
上述した実施形態における空調管理装置１及び運転装置２の一部又は全ての機能をコンピュータで実現するようにしてもよい。その場合、空調管理装置１及び運転装置２の機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１…空調管理装置、２…運転装置、３…空調機、３ａ…空調機、４…センサ、１１…入力部、１２…表示部、１３…記憶部、１４…通信部、１５…処理部、３０…ビル用マルチエアコン、３１…室外機、３２…室内機、３４…外調機、３５…給気口、１５１…表示制御部、１５２…運転指示部、１５３…稼働履歴生成部、１００…空調システム、１００ａ…空調システム
【図１】
2019163872.tif 000003
【図２】
2019163872.tif 000004
【図３】
2019163872.tif 000005
【図４】
2019163872.tif 000006
【図５】
2019163872.tif 000007
【図６】
2019163872.tif 000008
【図７】
2019163872.tif 000009
【図８】
2019163872.tif 000010